(57)【要約】【課題】被介護者の保護者と介護施設のスタッフとの間で情報交換を行うための連絡帳を通信ネットワークを利用して効率良く作成する。【解決手段】介護施設にて実施されたサービス実績の情報等を格納する施設データベース３ａや、被介護者の保護者或いは介護施設のスタッフにより書き込まれた連絡事項を格納する連絡事項書き込みデータベース３ｂを情報処理サーバ２に接続し、情報処理サーバ２の表示画面作成部１１が、インターネットを通じた被介護者端末或いは施設端末からのアクセスに応じて、連絡事項入力画面や連絡帳画面を作成して被介護者端末或いは施設端末に表示させる。連絡事項入力画面で入力された連絡事項は連絡事項書き込みデータベース３ｂに格納し、連絡帳画面は、施設データベース３ａや連絡事項書き込みデータベース３ｂに書き込まれた情報を読み出して作成する。【選択図】      図２
2005004613.tif 000002
【特許請求の範囲】
【請求項１】
通信ネットワークに接続され、通所による介護サービスを受ける被介護者の保護者が所有する端末と、介護サービスを提供する介護施設の端末とからそれぞれアクセス可能な連絡帳作成装置であって、
少なくとも、介護施設の端末から入力されたサービス実績の情報と、被介護者の保護者が所有する端末或いは介護施設の端末から入力された連絡事項とが格納されるデータベースと、
被介護者の保護者が所有する端末からのアクセス又は介護施設の端末からのアクセスに応じて、これらの端末に表示させる表示画面を作成する表示画面作成手段とを備え、
前記表示画面作成手段が、連絡事項の入力を受け付ける連絡事項入力画面を作成する機能と、前記データベースに格納されたサービス実績の情報と連絡事項とを読み出して、被介護者の保護者と介護施設のスタッフとの間で情報交換を行うための連絡帳画面を作成する機能とを有することを特徴とする連絡帳作成装置。
【請求項２】
前記データベースには、更に介護施設にて撮影されたサービス提供時の画像が格納され、
前記表示画面作成手段は、前記データベースに格納された画像を読み出して、この画像を添付した連絡帳画面を作成することを特徴とする請求項１に記載の連絡帳作成装置。
【請求項３】
前記データベースには、更に介護施設において定期的に測定される健康管理情報が格納され、
前記表示画面作成手段が、前記データベースに格納された健康管理情報を読み出して、被介護者の健康状態をグラフ化したグラフ表示画面を作成する機能を更に有していることを特徴とする請求項１又は２に記載の連絡帳作成装置。
【請求項４】
連絡帳作成装置が通信ネットワークに接続され、通所によるサービスを受ける被介護者の保護者が所有する端末と、介護サービスを提供する介護施設の端末とからそれぞれ前記連絡帳作成装置にアクセス可能とされた情報交換システムであって、
前記連絡帳作成装置が、
少なくとも、介護施設の端末から入力されたサービス実績の情報と、被介護者の保護者が所有する端末或いは介護施設の端末から入力された連絡事項とが格納されるデータベースと、
被介護者の保護者が所有する端末からのアクセス又は介護施設の端末からのアクセスに応じて、これらの端末に表示させる表示画面を作成する表示画面作成手段とを備え、
前記表示画面作成手段が、連絡事項の入力を受け付ける連絡事項入力画面を作成する機能と、前記データベースに格納されたサービス実績の情報と連絡事項とを読み出して、被介護者の保護者と介護施設のスタッフとの間で情報交換を行うための連絡帳画面を作成する機能とを有することを特徴とする情報交換システム。
【発明の詳細な説明】
【０００１】
【発明の属する技術分野】
本発明は、通所による介護サービスを受ける被介護者の保護者と介護サービスを提供する介護施設のスタッフとの間で情報交換を行うための連絡帳を作成する連絡帳作成装置及びこれを用いた情報交換システムに関する。
【０００２】
【従来の技術】
近年、高齢者人口の増加に伴って介護を必要とする高齢者の数が年々増加しており、従来の老人福祉制度では充実した介護サービスの提供が困難な状況となってきている。そこで、老人介護についての制度的な見直しが図られ、高齢者社会に適した制度として介護保険制度が施行されて、現在、この介護保険制度に基づく介護サービスを効率良く実施するための検討が様々な観点からなされている。
【０００３】
介護保険制度は、所定の年齢に達した高齢者を対象として保険料を徴収し、この保険料を財源として、介護が必要であると認定された被介護者が、一部の料金負担のみで必要な介護サービスを受けられるようにした制度である。被介護者がこの介護保険制度に基づく介護サービスを受けるには、この介護保険制度の運営主体である自治体に対して申請書を提出して、調査員による要介護度の認定を受ける必要がある。そして、要介護度の認定を受けた被介護者は、その等級に応じて作成されたサービス提供表に従って、必要な介護サービスを受けることが可能となる。
【０００４】
介護サービスの種類としては、介護サービスを提供する介護施設のスタッフが被介護者の自宅に出向いてサービスを行う訪問介護や、被介護者が介護施設に通ってサービスを受けるデイケア等の通所による介護サービスがある。このうち、デイケア等の通所による介護サービスでは、サービスの提供が介護施設にて行われる関係で、被介護者の保護者は、実際に介護施設においてどのような内容のサービス提供がなされたか、或いはそのときの被介護者の様子はどうであったかといったことを直接知ることができない。また、介護施設のスタッフも、被介護者の自宅での様子を直接知ることができない。そこで、通所による介護サービスを実施するときは、通常、介護サービスの実施内容や被介護者の様子等を記入した連絡帳を作成し、この連絡帳を用いて被介護者の保護者と介護施設のスタッフとの間での情報交換を行って、被介護者の状態を把握できるようにしている。
【０００５】
【発明が解決しようとする課題】
しかしながら、以上のような連絡帳への記入は、多くの場合手書きで行われているため、その作業が非常に煩わしいばかりか、記入に多くの時間を要するために詳しい情報を記入することが困難で、連絡帳の内容が必ずしも満足のいくものとはなっていなかった。
【０００６】
また、以上のような連絡帳は被介護者本人が持参するため、介護施設のスタッフは被介護者が通所している間でしかその内容の閲覧や連絡事項の記入を行うことができず、また、被介護者の保護者は、被介護者が自宅に戻ってからでないとその内容の閲覧や連絡事項の記入を行うことができないという問題もあった。
【０００７】
本発明は、以上のような従来の実情に鑑みて創案されたものであって、被介護者の保護者と介護施設のスタッフとの間で情報交換を行うための連絡帳を通信ネットワークを利用して効率良く作成する連絡帳作成装置及びこれを用いた情報交換システムを提供することを目的としている。
【０００８】
【課題を解決するための手段】
本発明に係る連絡帳作成装置は、通信ネットワークに接続され、通所による介護サービスを受ける被介護者の保護者が所有する端末と、介護サービスを提供する介護施設の端末とからそれぞれアクセス可能とされたものであり、少なくとも、介護施設の端末から入力されたサービス実績の情報と、被介護者の保護者が所有する端末或いは介護施設の端末から入力された連絡事項とが格納されるデータベースと、被介護者の保護者が所有する端末からのアクセス又は介護施設の端末からのアクセスに応じて、これらの端末に表示させる表示画面を作成する表示画面作成手段とを備えている。そして、前記表示画面作成手段が、連絡事項の入力を受け付ける連絡事項入力画面を作成する機能と、前記データベースに格納されたサービス実績の情報と連絡事項とを読み出して、被介護者の保護者と介護施設のスタッフとの間で情報交換を行うための連絡帳画面を作成する機能とを有することを特徴としている。
【０００９】
また、本発明に係る情報交換システムは、連絡帳作成装置が通信ネットワークに接続され、通所によるサービスを受ける被介護者の保護者が所有する端末と、介護サービスを提供する介護施設の端末とからそれぞれ前記連絡帳作成装置にアクセス可能とされたものであり、前記連絡帳作成装置が、少なくとも、介護施設の端末から入力されたサービス実績の情報と、被介護者の保護者が所有する端末或いは介護施設の端末から入力された連絡事項とが格納されるデータベースと、被介護者の保護者が所有する端末からのアクセス又は介護施設の端末からのアクセスに応じて、これらの端末に表示させる表示画面を作成する表示画面作成手段とを備えている。そして、この連絡帳作成装置の表示画面作成手段が、連絡事項の入力を受け付ける連絡事項入力画面を作成する機能と、前記データベースに格納されたサービス実績の情報と連絡事項とを読み出して、被介護者の保護者と介護施設のスタッフとの間で情報交換を行うための連絡帳画面を作成する機能とを有することを特徴としている。
【００１０】
【発明の効果】
本発明によれば、データベースに格納された各種情報を用いて被介護者の保護者と介護施設のスタッフとの間で情報交換を行うための連絡帳画面が自動的に作成されるので、介護施設のスタッフや被介護者の保護者は、煩わしい作業を行うことなくこの連絡帳画面で満足のいく十分な情報の交換を行うことができる。また、この連絡帳画面は、被介護者の保護者が所有する端末からのアクセスや、介護施設の端末からのアクセスに応じて、これらの端末に随時表示されるので、被介護者の保護者や介護施設のスタッフは、必要なときにいつでもこの連絡帳画面を閲覧して被介護者の状態を把握することが可能となる。
【００１１】
【発明の実施の形態】
以下、本発明を適用した介護サービスにおける情報交換システムの具体的な実施形態について、図面を参照しながら詳細に説明する。
【００１２】
本発明を適用した情報交換システムの概略的なシステム構成を図１に示す。この情報交換システムは、ＡＳＰ（アプリケーション・サービス・プロバイダ）型のシステムとして構築されるものであり、通信ネットワークであるインターネット１に情報処理サーバ２が接続され、この情報処理サーバ２に施設データベース３ａ、連絡事項書き込みデータベース３ｂ、画像データベース３ｃがそれぞれ接続されている。これら情報処理サーバ２及び各データベース３ａ，３ｂ，３ｃは、本発明に特徴的な連絡帳作成装置として機能するものである。
【００１３】
この情報交換システムでは、通所による介護サービスを受ける被介護者の保護者が所有する端末（以下、被介護者端末４という。）や、これら被介護者に対して介護サービスを提供する介護施設の端末（以下、施設端末５という。）から、インターネット１を介して情報処理サーバ２に対してアクセス可能とされている。これら被介護者端末４や施設端末５としては、通信機能やインターネット１経由での情報を表示するためのＷｅｂブラウザを有するあらゆる端末が利用可能であり、例えばパーソナルコンピュータや携帯電話機等が用いられる。
【００１４】
施設データベース３ａには、通所による介護サービスを提供する介護施設に関する施設情報や、この介護施設で介護サービスを受ける被介護者に関する顧客情報、この介護施設で各被介護者に対して実際に提供された介護サービスの内容を示すサービス実績情報、介護施設において被介護者に対して定期的に測定される体重や体温等の健康管理情報等が格納されている。これらの情報は、介護施設のスタッフが、施設端末５を用いて情報処理サーバ２を通じて施設データベース３ａに随時書き込めるようになっている。なお、図１では図示を省略しているが、本発明を適用した情報交換システムは、各介護施設での介護サービスの実績を管理する介護サービス実績管理システム等と連携したシステムとされていることが望ましく、この場合には、施設データベース３ａがこれらのシステムで共有されて、介護サービス実績管理システムからの入力は、本発明を適用した情報交換システムでの処理に自動的に反映される。
【００１５】
連絡事項書き込みデータベース３ｂには、被介護者の自宅での様子といった、被介護者の保護者が介護施設のスタッフに伝える連絡事項や、介護施設での介護サービスを行っているときの被介護者の様子といった、介護施設のスタッフが被介護者の保護者に伝える連絡事項が格納されている。これらの連絡事項は、被介護者の保護者が、被介護者端末４を用いて情報処理サーバ２を通じて連絡事項書き込みデータベース３ｂに随時書き込めるようになっていると共に、介護施設のスタッフが、施設端末５を用いて情報処理サーバ２を通じて連絡事項書き込みデータベース３ｂに随時書き込めるようになっている。
【００１６】
また、画像データベース３ｃには、介護施設において撮影されたサービス提供時の画像、例えばサービス提供時における被介護者の様子を撮影した画像が格納されている。このサービス提供時の画像は、介護施設のスタッフが、施設端末５を用いて情報処理サーバ２を通じて画像データベース３ｃに随時保存できるようになっている。
【００１７】
なお、ここでは、本発明の特徴を分かり易く説明するために、以上の各データベース３ａ，３ｂ，３ｃを分けて説明しているが、これらはハード的に一体に構成されていてもよく、また、情報処理サーバ２の内部に組み込まれていてもよい。
【００１８】
情報処理サーバ２は、図２に示すように、アクセス制御部１０と、表示画面作成部１１と、グラフ作成部１２とを備えている。
【００１９】
アクセス制御部１０は、パスワードやＩＤ照合等による認証処理を行って、インターネット１経由での情報処理サーバ２に対するアクセスを制御するものである。前記被介護者端末４や施設端末５からのアクセスは、このアクセス制御部１０による認証処理が行われた上で情報処理サーバ２に受け付けられることになる。本システムを利用するユーザ（被介護者や介護施設）は予め登録されており、登録されたユーザには個別のユーザＩＤやパスワードが付与されている。そして、登録ユーザである被介護者の保護者や介護施設のスタッフが本システムを利用する場合には、被介護者端末４や施設端末５のログイン画面でユーザＩＤやパスワードを入力し、情報処理サーバ２のアクセス制御部１０での認証処理が行われた後に、連絡事項の書き込みや連絡帳画面の表示等の各種操作が可能となる。
【００２０】
表示画面作成部１１は、被介護者端末４からのアクセスや施設端末５からのアクセスに応じて、これら被介護者端末４や施設端末５に表示させる表示画面を作成するものであり、特に本発明を適用した情報交換システムにおいては、この情報処理サーバ２の表示画面作成部１１が、連絡事項入力画面を作成する機能と、連絡帳画面を作成する機能とを有している。そして、被介護者の保護者が被介護者端末４を用いて情報処理サーバ２にアクセスしたときや、介護施設のスタッフが施設端末５を用いて情報処理サーバ２にアクセスしたときに、その操作内容に応じて、これら連絡事項入力画面や連絡帳画面を、被介護者端末４や施設端末５に表示させるようにしている。
【００２１】
連絡事項入力画面は、被介護者の保護者が介護施設のスタッフに伝える連絡事項や、介護施設のスタッフが被介護者の保護者に伝える連絡事項の入力を受け付ける画面であり、この連絡事項入力画面を用いて入力された被介護者の保護者からの連絡事項や、介護施設のスタッフからの連絡事項は、連絡事項書き込みデータベース３ｂに格納されるようになっている。
【００２２】
また、連絡帳画面は、被介護者の保護者と介護施設スタッフとの間で情報交換を行うための画面であり、施設データベース３ａに格納されたサービス実績情報、健康管理情報や、連絡事項書き込みデータベース３ｂに格納された連絡事項（過去に連絡事項入力画面を用いて入力された連絡事項）、画像データベース３ｃに格納されたサービス提供時の画像等を適宜読み出して、これらの情報を用いて作成されるものである。
【００２３】
また、情報処理サーバ２の表示画面作成部１１は、以上のような連絡事項入力画面や連絡帳画面の他、ログイン画面やメイン画面、カレンダー表示画面、グラフ表示画面等、情報処理サーバ２にアクセスした被介護者端末４や施設端末５での操作内容に応じて、必要な画面を適宜作成し、被介護者端末４や施設端末５に表示させるようになっている。なお、グラフ表示画面は、被介護者の体重や体温等の健康状態の推移をグラフ化して示す画面であり、施設データベース３ａに格納された健康管理情報を適宜読み出して、この健康管理情報をグラフ作成部１２でグラフ化することによって作成されるものである。
【００２４】
ここで、図３のフローチャート及び図４乃至図１０の画面表示例を参照して、情報処理サーバ２の表示画面作成部１１における処理の流れの具体的な一例について説明する。
【００２５】
情報処理サーバ２の表示画面作成部１１は、被介護者端末４や施設端末５から情報処理サーバ２に対してアクセスがあると、先ず、図４に示すようなログイン画面を作成して、このログイン画面を情報処理サーバ２にアクセスした被介護者端末４或いは施設端末５に表示させる（ステップＳ１）。そして、このログイン画面を用いて被介護者端末４或いは施設端末５からユーザＩＤやパスワードの入力がなされると、アクセス制御部１０によって認証処理が行われる。その結果、情報処理サーバ２にアクセスした端末が施設端末５であると判定された場合には（ステップＳ２）、表示画面作成部１１は、施設データベース３ａから顧客情報を読み出して、図５に示すような被介護者一覧画面を作成し、この被介護者一覧画面を施設端末５に表示させる（ステップＳ３）。
【００２６】
この図５に示す被介護者一覧画面は、当該介護施設において介護サービスの提供を受ける顧客として登録されている被介護者の名前を一覧表示したものであり、介護施設のスタッフは、この施設端末５に表示された被介護者一覧画面で情報交換を行う相手先の被介護者を指定できるようになっている。この被介護者一覧画面で被介護者が指定されると、表示画面生成部１１は、次に、図６に示すような指定された被介護者のメイン画面を作成して、このメイン画面を施設端末５に表示させる（ステップＳ４）。また、ステップＳ２で情報処理サーバ２にアクセスした端末が被介護者端末４であると判定された場合には、図６に示すような被介護者のメイン画面が被介護者端末４に表示されることになる。
【００２７】
この図６に示すメイン画面では、画面中央に最新の連絡帳画面へのリンク「最新ページ」が表示されており、この部分をクリックすることで最新の連絡帳画面を表示させることができるようになっている。また、画面上段には、カレンダー表示画面へのリンクが表示されており、この部分をクリックすることでカレンダー表示画面を表示させることができるようになっている。更に、その下段には、連絡事項入力画面へのリンク「メッセージ」や、グラフ表示画面へのリンク「グラフ」が表示されており、これらの部分をクリックすることで、それぞれ連絡事項入力画面やグラフ表示画面を表示させることができるようになっている。
【００２８】
このメイン画面で連絡事項入力画面の表示が指定された場合には（ステップＳ５）、表示画面作成部１１は、図７に示すような連絡事項入力画面を作成して、この連絡事項入力画面を施設端末５或いは被介護者端末４に表示させる（ステップＳ６）。そして、この連絡事項入力画面を用いて介護施設のスタッフや被介護者の保護者により入力された連絡事項は、最新の連絡事項として連絡事項書き込みデータベース３ｂに格納される（ステップＳ７）。なお、この連絡事項入力画面は、施設端末５に表示させる場合と被介護者端末４に表示させる場合とで基本的に同じ画面構成であるが、入力可能な情報が施設端末５と被介護者端末４とで異なる。すなわち、施設端末５に表示された連絡事項入力画面では、日付の指定と介護施設のスタッフから被介護者の保護者に伝える連絡事項の入力の他、体重や体温等、被介護者の健康管理情報の入力や、添付する画像の指定等が行えるようになっているが、被介護者端末４に表示された連絡事項入力画面では、日付の指定と被介護者の保護者から介護施設のスタッフに伝える連絡事項の入力のみが行えるようになっている。
【００２９】
また、メイン画面で連絡帳画面の表示が指定された場合には（ステップＳ８）、表示画面作成部１１は、施設データベース３ａに格納されたサービス実績情報、健康管理情報や、連絡事項書き込みデータベース３ｂに格納された連絡事項、画像データベース３ｃに格納されたサービス提供時の画像等、連絡帳画面の作成に必要な各種情報をデータベース３ａ，３ｂ，３ｃからそれぞれ読み出す（ステップＳ９）。そして、これらの情報を用いて図８に示すような連絡帳画面を作成し、この連絡帳画面を施設端末５或いは被介護者端末４に表示させる（ステップＳ１０）。
【００３０】
この図８に示す連絡帳画面では、画面上段に介護サービスを受けたときの被介護者の様子を撮影した画像が表示されており、この連絡帳画面を参照した被介護者の保護者が、介護施設での被介護者の様子を視覚的に確認できるようになっている。なお、写真の添付がなかった日については、この画像は表示されない。また、画面中段には、被介護者の保護者から介護施設のスタッフへ伝える連絡事項や介護施設のスタッフから被介護者の保護者へ伝える連絡事項（連絡事項入力画面で入力された連絡事項）が表示されており、被介護者の保護者と介護施設のスタッフとの間で十分な情報交換が行われるようになっている。更に、その下段には、介護施設で実際に行われた介護サービスの内容、食事の有無、食事のメニュー、入浴の有無、介護施設において測定された被介護者の体重や体温等が表示されており、この連絡帳画面を参照した被介護者の保護者が、介護施設での被介護者の様子をより具体的に把握できるようになっている。なお、この画面表示例で示されている「サービス内容」、「食事」、「入浴」の項目は、図７の入力画面に存在しない項目であるが、これらの情報は、施設データベース３ａに記録されている日々の介護情報を参照して、自動的に表示される。これらのデータは、本発明を適用した情報交換システムと施設データベース３ａを共有している介護サービス実績管理システムによって入力される。このため、情報交換システムでは連絡帳作成時にこれらのデータを改めて入力する必要はない。また、施設データベース３ａに他に利用可能なデータがあれば、それらのデータも情報交換システムで利用して連絡帳に反映させることが可能であり、連絡帳に表示する事項は以上の例に限定されるものではない。
【００３１】
また、メイン画面でグラフ表示画面の表示が指定された場合には（ステップＳ１１）、表示画面作成部１１は、施設データベース３ａから健康管理情報を読み出して（ステップＳ１２）、介護施設において定期的に測定された被介護者の体重や体温等をグラフ作成部１２を用いてグラフ化し、図９に示すようなグラフ表示画面を作成して、このグラフ表示画面を施設端末５或いは被介護者端末４に表示させる（ステップＳ１３）。このグラフ表示画面は、被介護者の体重や体温等の健康状態の推移をグラフ化して示すものであり、被介護者の保護者や介護施設のスタッフは、このグラフ表示画面を参照することで、被介護者の健康状態の推移を一目で把握できるようになっている。
【００３２】
また、メイン画面でカレンダー表示画面等の他の画面の表示が指定された場合には（ステップＳ１４）、表示画面作成部１１は、例えば図１０に示すようなカレンダー表示画面等、指定に応じた表示画面を作成して、これを施設端末５或いは被介護者端末４に表示させる（ステップＳ１５）。なお、図１０に示すカレンダー表示画面には、その月で連絡帳画面が作成されている日のマスに連絡帳画面へのリンクが表示されており、この部分をクリックすることでその日の連絡帳画面を表示させることができるようになっている。また、画面下段にはグラフ表示画面へのリンク「グラフ」が表示されており、この部分をクリックすることでその月の被介護者の健康状態の推移をグラフ化したグラフ表示画面を表示させることができるようになっている。
【００３３】
なお、図４乃至図１０に示した各画面表示例は、情報処理サーバ２の表示画面作成部１１によって作成されて施設端末５或いは被介護者端末４に表示される表示画面の具体的な一例を示したものであり、種々の変更が可能であることは勿論である。
【００３４】
以上説明したように、本発明を適用した情報交換システムでは、被介護者の保護者や介護施設のスタッフが被介護者端末４や施設端末５を用いて連絡帳画面の表示を指定する操作を行うことで、情報処理サーバ２の表示画面作成部１１がデータベース３ａ，３ｂ，３ｃに格納された各種情報を用いて連絡帳画面を作成し、これを被介護者端末４或いは施設端末５に表示させるようにしているので、介護施設のスタッフや被介護者の保護者は、煩わしい作業を行うことなくこの連絡帳画面で満足のいく十分な情報の交換を行うことができる。また、この連絡帳画面は、被介護者端末４や施設端末５からのアクセスに応じて、これら被介護者端末４や施設端末５に随時表示されるようになっているので、被介護者の保護者や介護施設のスタッフは、必要なときにいつでもこの連絡帳画面を閲覧して被介護者の状態を把握することが可能となる。
【図面の簡単な説明】
【図１】本発明を適用した情報交換システムの全体構成を示す概略構成図である。
【図２】本発明を適用した情報交換システムに用いられる情報処理サーバの構成を示すブロック図である。
【図３】情報処理サーバの表示画面作成部における処理の流れの一例を示すフローチャートである。
【図４】被介護者端末又は施設端末に表示されるログイン画面の画面表示例を示す図である。
【図５】施設端末に表示される被介護者一覧画面の画面表示例を示す図である。
【図６】被介護者端末又は施設端末に表示されるメイン画面の画面表示例を示す図である。
【図７】被介護者端末又は施設端末に表示される連絡事項入力画面の画面表示例を示す図である。
【図８】被介護者端末又は施設端末に表示される連絡帳画面の画面表示例を示す図である。
【図９】被介護者端末又は施設端末に表示されるグラフ表示画面の画面表示例を示す図である。
【図１０】被介護者端末又は施設端末に表示されるカレンダー表示画面の画面表示例を示す図である。
【符号の説明】
１  インターネット
２  情報処理サーバ
３ａ  施設データベース
３ｂ  連絡事項書き込みデータベース
３ｃ  画像データベース
４  被介護者端末
５  施設端末
１０  アクセス制御部
１１  表示画面作成部
１２  グラフ作成部
【図１】
2005004613.tif 000003
【図２】
2005004613.tif 000004
【図３】
2005004613.tif 000005
【図４】
2005004613.tif 000006
【図５】
2005004613.tif 000007
【図６】
2005004613.tif 000008
【図７】
2005004613.tif 000009
【図８】
2005004613.tif 000010
【図９】
2005004613.tif 000011
【図１０】
2005004613.tif 000012